(57)【要約】【課題】外部からの異物が器具本体内部へ侵入するのを防止し且つ配線作業を容易に行うことのできる照明器具を提供する。【解決手段】器具本体１に取り付けられて器具本体１内で各端子台４０，４１の周囲を覆うカバー７０，７１とを備え、器具本体１の一面には、各端子台４０，４１の電線接続部４００，４１０を器具本体１の外部に臨ませるための窓孔１１１〜１１３が設けられ、各カバー７０，７１は、各窓孔１１１〜１１３と連なって通じる第１開口部７０１，７１１と、第１開口部７０１，７１１の周縁に設けられて窓孔１１１〜１１３の周縁に取り付けられる第１取付部７０２，７１２とを備える。【選択図】図１
2014216236.tif 000002
【特許請求の範囲】
【請求項１】
発光モジュール及び前記発光モジュールを点灯制御する点灯装置を保持し、且つ前記発光モジュールの発する光を外部に照射させるための開口を有する器具本体と、前記器具本体内において前記点灯装置に接続され且つ外部からの電線を接続する電線接続部を有する端子台と、前記開口を閉塞し且つ前記発光モジュールの発する光を透過させる透光パネルと、前記器具本体に取り付けられて前記器具本体内で前記端子台の周囲を覆うカバーとを備え、
前記器具本体の一面には、前記端子台の前記電線接続部を前記器具本体の外部に臨ませるための窓孔が設けられ、
前記カバーは、前記窓孔と連なって通じる第１開口部と、前記第１開口部の周縁に設けられて前記窓孔の周縁に取り付けられる第１取付部とを備えることを特徴とする照明器具。
【請求項２】
前記カバーは、前記器具本体の前記窓孔が設けられる一面に対して傾斜するように構成されることを特徴とする請求項１記載の照明器具。
【請求項３】
前記器具本体は、前記端子台が取り付けられる取付金具を備え、
前記カバーは、前記第１開口部とは異なる位置に設けられる第２開口部と、前記第２開口部の周縁に設けられて前記取付金具に取り付けられる第２取付部とを備え、
前記第２開口部は、前記取付金具により閉塞されるように構成されることを特徴とする請求項１又は２記載の照明器具。
【請求項４】
前記カバーは、前記端子台と前記点灯装置とを接続する内部配線を通すためのスリットを備え、
前記スリットは、その一端を前記カバーの外部に開放するように構成されることを特徴とする請求項３に記載の照明器具。
【発明の詳細な説明】
【技術分野】
【０００１】
本発明は、調色可能な照明器具に関する。
【背景技術】
【０００２】
従来から、虫や塵埃などの外部からの異物が器具本体の内部に侵入するのを防止する照明器具が知られており、例えば、特許文献１に開示されているようなものがある。特許文献１に記載の照明器具は、防犯灯等に用いられるもので、筒状体の器具本体と、器具本体の一端部に突設されて先端面が支柱等の側面に支持される一対の取付脚と、取付脚の間に形成されて器具本体内に連通する端子台収納部とを備える。端子台収納部には端子台が収納されている。また、端子台収納部の一面には、電線挿通孔を形成している。そして、この電線挿通孔にブッシュを装着して閉塞することで、端子台収納部、ひいては器具本体の内部への異物の侵入を防止している。
【先行技術文献】
【特許文献】
【０００３】
【特許文献１】特開平２−２２６６０８号公報
【発明の概要】
【発明が解決しようとする課題】
【０００４】
しかしながら、上記従来の照明器具では、器具本体の内部と外部とを隔離することはできるものの、端子台も含めて外部と隔離する構成となっている。このため、端子台に配線する作業を行う場合には、ブッシュを外して端子台を器具本体の外部に臨ませなければならず、作業が煩わしくなるという問題があった。
【０００５】
本発明は、上記の点に鑑みて為されたもので、外部からの異物が器具本体内部へ侵入するのを防止し且つ配線作業を容易に行うことのできる照明器具を提供することを目的とする。
【課題を解決するための手段】
【０００６】
本発明の照明器具は、発光モジュール及び前記発光モジュールを点灯制御する点灯装置を保持し、且つ前記発光モジュールの発する光を外部に照射させるための開口を有する器具本体と、前記器具本体内において前記点灯装置に接続され且つ外部からの電線を接続する電線接続部を有する端子台と、前記開口を閉塞し且つ前記発光モジュールの発する光を透過させる透光パネルと、前記器具本体に取り付けられて前記器具本体内で前記端子台の周囲を覆うカバーとを備え、前記器具本体の一面には、前記端子台の前記電線接続部を前記器具本体の外部に臨ませるための窓孔が設けられ、前記カバーは、前記窓孔と連なって通じる第１開口部と、前記第１開口部の周縁に設けられて前記窓孔の周縁に取り付けられる第１取付部とを備えることを特徴とする。
【０００７】
この照明器具において、前記カバーは、前記器具本体の前記窓孔が設けられる一面に対して傾斜するように構成されることが好ましい。
【０００８】
この照明器具において、前記器具本体は、前記端子台が取り付けられる取付金具を備え、前記カバーは、前記第１開口部とは異なる位置に設けられる第２開口部と、前記第２開口部の周縁に設けられて前記取付金具に取り付けられる第２取付部とを備え、前記第２開口部は、前記取付金具により閉塞されるように構成されることが好ましい。
【０００９】
この照明器具において、前記カバーは、前記端子台と前記点灯装置とを接続する内部配線を通すためのスリットを備え、前記スリットは、その一端を前記カバーの外部に開放するように構成されることが好ましい。
【発明の効果】
【００１０】
本発明では、端子台を除いた器具本体の内部を外部と隔離することができるので、外部からの異物が器具本体内部へ侵入するのを防止することができる。また、本発明では、端子台の電線接続部が第１開口部及び窓孔を介して器具本体の外部に臨むため、カバーを取り外すことなく配線作業を容易に行うことができる。
【図面の簡単な説明】
【００１１】
【図１】本発明の実施形態に係る照明器具を示す図で、（ａ）は全体斜視図で、（ｂ）は器具本体の内部を示す図で、（ｃ）は第１カバー及び電源用端子台を示す斜視図である。
【図２】同上の照明器具における器具本体を示す斜視図である。
【図３】同上の照明器具における発光モジュールを示す平面図である。
【図４】同上の照明器具におけるエンドキャップの取付方法を示す図で、（ａ）はエンドキャップ及び器具本体の斜視図で、（ｂ），（ｃ）はエンドキャップを取り付けた器具本体の図である。
【図５】（ａ）〜（ｄ）は、同上の照明器具における第１カバーを示す図である。
【図６】（ａ）〜（ｄ）は、同上の照明器具における第２カバーを示す図である。
【図７】同上の照明器具における窓孔側から見た斜視図である。
【図８】同上の照明器具における取付金具側から見た斜視図である。
【図９】同上の照明器具の断面図である。
【発明を実施するための形態】
【００１２】
以下、本発明の実施形態に係る照明器具について図面を用いて説明する。本実施形態の照明器具は、例えばコーブ照明やコーニス照明といった間接照明に用いるもので、図１（ａ）〜（ｃ）に示すように、器具本体１と、発光モジュール２と、点灯装置３と、端子台４と、透光パネル５と、エンドキャップ６と、カバー７とを備える。
【００１３】
器具本体１は、長尺に形成されて後述する各発光モジュール２を保持するものである。器具本体１は、例えば板金から成り、図２に示すように、主板１０と、第１側板１１と、第２側板１２とで構成される。主板１０は、図１（ｂ）における左右方向に沿って長尺な矩形状に形成される。主板１０の短手方向（図１（ｂ）における上下方向）の一端縁には、第１側板１１が図２における上向きに突出する形で一体に形成される。また、主板１０の短手方向の他端縁には、第２側板１２が図２における上向きに突出する形で一体に形成される。第２側板１２の高さ（図２における上下方向の長さ）は、第１側板１１の高さよりも高い。
【００１４】
器具本体１の図２における上端は、図２に示すように、各発光モジュール２が発する光を外部に放射させるために開口している。また、本実施形態の照明器具では、器具本体１は、図２に示すように、その長手方向の両端部が外部に開放されている。
【００１５】
第１側板１１の図２における上端には、その長手方向に亘って、後述する透光パネル５の長手方向に沿った一端が挿入される第１溝１１０が設けられている（図８，９参照）。また、第２側板１２の図２における上端には、その長手方向に亘って、透光パネル５の長手方向に沿った他端が挿入される第２溝１２０が設けられている。各溝１１０，１２０には、透光パネル５をスライド自在に挿入することができる。また、各溝１１０，１２０に透光パネル５を挿入することで、透光パネル５を器具本体１に取り付けることができる。
【００１６】
器具本体１の一面には、後述する端子台４の電線接続部４００，４１０を器具本体１の外部に臨ませるための窓孔が設けられている。本実施形態の照明器具では、第１側板１１に、その長手方向に沿って一定の間隔を空けて３つの矩形状の第１窓孔１１１、第２窓孔１１２、第３窓孔１１３を設けている（図１（ａ）参照）。第１窓孔１１１及び第３窓孔１１３は、それぞれ第１側板１１の長手方向の端部に設けられており、第２窓孔１１２は、第１側板１１の長手方向における中央部に設けられている。各窓孔１１１〜１１３は、それぞれ端子台４と対向する位置に設けられている。したがって、器具本体１の外部から引き回される電源線（図示せず）や信号線（図示せず）を、各窓孔１１１〜１１３を通して各端子台４に接続することができる。
【００１７】
第１側板１１の長手方向の両端部には、図２に示すように、それぞれ矩形状の取付孔１１４を設けている。各取付孔１１４は、後述するエンドキャップ６の第１取付爪６１０の先端が挿入できるように構成される。また、第２側板１２の長手方向の両端部には、図２に示すように、それぞれ矩形状の取付孔１２１，１２２を設けている。各取付孔１２１，１２２は、それぞれ後述するエンドキャップ６の第２取付爪６２０の先端を挿入できるように構成される。
【００１８】
主板１０の長手方向の両端には、図２に示すように、外向きに突出する矩形状のフランジ１３をそれぞれ一体に形成している。一方（図２における右側）のフランジ１３には、円形状の連結孔１３０を一定の間隔を空けて３つ設けている。他方（図２における左側）のフランジ１３には、円形状の２つの連結孔１３０と、径の大きい部位と径の小さい部位とが連続して一体に形成された連結孔１３１とを一定の間隔を空けて設けている。なお、連結孔１３１は、所謂「ダルマ穴」である。
【００１９】
各フランジ１３は、本実施形態の照明器具を複数連結して用いる場合に使用する。すなわち、図４（ｂ），（ｃ）に示すように、器具本体１のフランジ１３を他の器具本体１のフランジ１３と重ね合わせ、各連結孔１３０，１３１に取付ねじ（図示せず）を挿入して共締めすることで、本実施形態の照明器具を連結することができる。
【００２０】
発光モジュール２は、図３に示すように、複数のＬＥＤチップ（図示せず）を基板２２に実装して構成される。発光モジュール２は、低い色温度（本実施形態では、２３００Ｋ）の白色光を発光する複数の第１発光部２０と、高い色温度（本実施形態では、８７００Ｋ）の白色光を発光する複数の第２発光部２１とを備える。各発光部２０，２１は、全体として円を成すように配置されている。すなわち、発光モジュール２は、互いに色温度の異なる複数の発光部２０，２１から成る。
【００２１】
第１発光部２０は、青色光を発光する複数のＬＥＤチップを、橙色の蛍光体を包含する棒状の第１封止材２００で封止して構成される。したがって、ＬＥＤチップから放射される青色光の一部が蛍光体で波長変換され、波長変換された橙色光と波長変換されなかった青色光が混ざることにより、第１発光部２０から放射される光が全体として色温度の高い白色光となる。
【００２２】
第２発光部２１は、青色光を発光する複数のＬＥＤチップを、黄色の蛍光体を包含する棒状の第２封止材２１０で封止して構成される。したがって、ＬＥＤチップから放射される青色光の一部が蛍光体で波長変換され、波長変換された黄色光と波長変換されなかった青色光が混ざることにより、第１発光部２０から放射される光が全体として色温度の低い白色光となる。
【００２３】
基板２２には、各ＬＥＤチップへの給電路となる導体２５を印刷している。なお、図示では省略しているが、実際には、各ＬＥＤチップを直列又は並列、若しくは直並列に接続するように導体２５をパターニングしている。
【００２４】
また、基板２２には、第１レセプタクル２３と、第２レセプタクル２４とを実装している。第１レセプタクル２３には、導体２５を介して第１発光部２０が有する各ＬＥＤチップが接続されている。第２レセプタクルには、導体２５を介して第２発光部２１が有する各ＬＥＤチップが接続されている。なお、第１レセプタクル２３と第１発光部２０とを接続する導体２５と、第２レセプタクル２４と第２発光部２１とを接続する導体２５とは互いに電気的に絶縁されている。各レセプタクル２３，２４と、後述する点灯装置３とをケーブル（図示せず）を介して接続することで、各発光部２０，２１に点灯電力を供給することができる。
【００２５】
各発光モジュール２は、図２に示すように、放熱板８を介して器具本体１の主板１０に取り付けられる。放熱板８は、熱伝導度の高い材料(例えば、アルミ板)で形成される。したがって、各発光モジュール２が発する熱を、放熱板８及び器具本体１を介して外気へと放熱する。
【００２６】
点灯装置３は、発光モジュール２の点灯制御を行うものである。本実施形態の照明器具では、図１（ｂ）に示すように、２つの点灯装置３を備える。また、本実施形態の照明器具では、各点灯装置３は、それぞれ自身の両側に配置される発光モジュール２の点灯制御を行う。
【００２７】
各点灯装置３は、第１発光部２０を点灯する第１点灯回路（図示せず）と、第２発光部２１を点灯する第２点灯回路（図示せず）と、制御回路（図示せず）とを備える。また、点灯装置３は、各点灯回路及び制御回路を収納するケース３０を備える。制御回路は、各点灯回路を制御して各発光部２０，２１の光出力を調整して混色させることにより、各発光モジュール２の発する光の色温度を調色する。本実施形態の照明器具では、２７００Ｋ〜５０００Ｋの範囲で光の色温度を調色する。また、制御回路は、各点灯回路を制御して各発光部２０，２１の光出力を変化させることで、各発光モジュール２の調光を行う。制御回路は、外部からの制御信号に基づいて上記の制御を実行する。
【００２８】
なお、点灯装置３は上記の構成に限定するものではなく、各発光モジュール２を点灯制御するものであればよい。
【００２９】
端子台４は、主に点灯装置３と外部電源（図示せず）とを接続するためのものである。本実施形態の照明器具では、端子台４として、１つの電源用端子台４０と、２つの制御用端子台４１とを備える（図１（ｂ）参照）。電源用端子台４０は、器具本体１の長手方向における中央に設けられ、外部電源に接続された電源線（図示せず）や、隣接する照明器具からの送り線（図示せず）を接続する。電源用端子台４０と各点灯装置３とは、図示しない内部配線により接続されている。したがって、電源用端子台４０を介して各点灯装置３と外部電源とを接続することにより、点灯装置３に外部電源から電力を供給することができる。
【００３０】
制御用端子台４１は、器具本体１の長手方向の両端にそれぞれ設けられ、調光・調色用の信号線（図示せず）や、隣接する照明器具からの信号線の送り線（図示せず）を接続する。各制御用端子台４１と各点灯装置３とは、何れも図示しない内部配線により接続されている。したがって、何れかの制御用端子台４１を介して各点灯装置３に制御信号を与えることで、各点灯装置３の制御回路が、各発光モジュール２の調光又は調色を実行する。
【００３１】
すなわち、各端子台４０，４１は、それぞれ器具本体１内において点灯装置３に接続され且つ外部からの電線（電源線、信号線）を接続する電線接続部４００，４１０を有する。
【００３２】
端子台４は、取付金具９を介して器具本体１に取り付けられる。本実施形態の照明器具では、図１（ｂ），（ｃ）に示すように、３つの取付金具９を備える。各取付金具９は、第１取付板９０と、第２取付板９１とで構成される。なお、各取付金具９は、例えば板金を折り曲げることで形成される。第１取付板９０は、矩形板状に形成され、その一面に各端子台４０，４１が取り付けられる。第２取付板９１は、矩形板状に形成され、第１取付板９０の一端（図１（ｃ）における下端）から突出する。第２取付板９１は、器具本体１の主板１０に取り付けられる。
【００３３】
透光パネル５は、図１（ａ）に示すように、器具本体１の図２における上端の開口を閉塞し且つ各発光モジュール２の発する光を透過させるものである。透光パネル５は、例えばアクリル樹脂やポリカーボネート樹脂などで矩形板状に形成される。なお、本実施形態の照明器具では、壁面や天井面に効率良く光を照射できるようにすべく、図１（ａ）に示すように、透光パネル５を設置面（器具本体１の主板１０が取り付けられる面）に対して傾斜させている。
【００３４】
エンドキャップ６は、図１（ａ）に示すように、器具本体１の長手方向の両端部それぞれを閉塞するものである。各エンドキャップ６は、例えばアクリル樹脂やポリカーボネート樹脂などの透光性を有する樹脂材料によって形成される。各エンドキャップ６は、図４（ａ）に示すように、主片６０と、第１側片６１と、第２側片６２と、第３側片６３と、第４側片６４とで構成される。主片６０は、図４（ａ）における上辺が傾斜した四角形状に形成される。そして、各エンドキャップ６は、主片６０の四辺に各側片６１〜６４を一体に形成することで、全体として一面を開口した箱体に構成される。
【００３５】
第１側片６１には、図４（ａ）に示すように、矩形状の第１取付爪６１０を切り欠くことで形成している。同様に、第２側片６２には、矩形状の２つの第２取付爪６２０を切り欠くことで形成している。各取付爪６１０，６２０の先端は鈎状に形成されている。したがって、各取付爪６１０，６２０の先端を器具本体１の各取付孔１１４，１２１，１２２に挿入して周縁に引っ掛けることで、エンドキャップ６を器具本体１に取り付けることができる。
【００３６】
第３側片６３は、図４（ａ）に示すように、他の側片６１，６２，６４よりも器具本体１に向かって突出するように形成されている。そして、図４（ｂ），（ｃ）に示すように、第３側片６３は、エンドキャップ６を器具本体１に取り付けた状態で、透光パネル５と重なり合う。すなわち、各エンドキャップ６は、透光パネル５と重なり合う部位を有する。このように、各エンドキャップ６の一部が透光パネル５と重なり合うことにより、透光パネル５と各エンドキャップ６との間に隙間が生じ難い。したがって、透光パネル５と各エンドキャップ６との隙間から器具本体１の内部へと虫や塵埃等の異物が侵入するのを防止することができる。
【００３７】
また、本実施形態の照明器具では、上述のように、エンドキャップ６を透光性を有する材料で形成している。このため、器具本体１の長手方向の両端近傍に発光モジュール２を配置した場合でも、当該発光モジュール２が発する光をエンドキャップ６を介して外部に照射させることができる。すなわち、エンドキャップ６が発光モジュール２の発する光を阻害するのを回避することができる。
【００３８】
カバー７は、器具本体１に取り付けられて器具本体１内で端子台４の周囲を覆うものである。本実施形態の照明器具では、カバー７として、電源用端子台４０の周囲を覆う１つの第１カバー７０と、各制御用端子台４１の周囲をそれぞれ覆う２つの第２カバー７１とを備える（図１（ｂ）参照）。各カバー７０，７１は、例えばエチレン−プロピレン−ジエンゴム（ＥＰＤＭ）等の弾性材料から形成される。
【００３９】
第１カバー７０は、図５（ａ）〜（ｄ）に示すように、主部７００と、第１開口部７０１と、第１取付部７０２と、第２開口部７０３と、第２取付部７０４とを備える。主部７００は、電源用端子台４０の周囲を覆うように扁平な筒状に形成される。第１開口部７０１は、主部７００の一端（図５（ｂ）における下端）に設けられる矩形状の開口である。第１開口部７０１は、器具本体１の第２窓孔１１２と連なって通じるように設けられる。第１取付部７０２は、第１開口部７０１の外周縁から周方向に亘って外向きに突出する鍔状に形成され、第２窓孔１１２の周縁に取り付けられる。
【００４０】
第２開口部７０３は、主部７００の一端（図５（ｂ）における上端）に設けられる矩形状の開口である。すなわち、第２開口部７０３は、第１開口部７０１とは異なる位置に設けられる。第２取付部７０４は、第２開口部７０３の内周縁に周方向に亘って溝状に形成される。第２取付部７０４は、取付金具９の第１取付板９０の周縁を嵌め込むことができるように構成される。
【００４１】
主部７００には、図５（ｄ）に示すように、長尺な１対のスリット７０５を設けている。各スリット７０５の長手方向の一端（図５（ｄ）における左端）は、第１カバー７０の外部に開放されている。また、各スリット７０５の長手方向の他端（図５（ｄ）における右端）には、それぞれ円形状の通線孔７０６を設けている。各スリット７０５及び各通線孔７０６は、電源用端子台４０と点灯装置３とを接続する内部配線（図示せず）を通すことができるように構成される。
【００４２】
第２カバー７１は、図６（ａ）〜（ｄ）に示すように、主部７１０と、第１開口部７１１と、第１取付部７１２と、第２開口部７１３と、第２取付部７１４とを備える。主部７１０は、制御用端子台４１の周囲を覆うように扁平な筒状に形成される。第１開口部７１１は、主部７１０の一端（図６（ｂ）における下端）に設けられた矩形状の開口である。第１開口部７１１は、器具本体１の第１窓孔１１１又は第３窓孔１１３と連なって通じるように設けられる。第１取付部７１２は、第１開口部７１１の外周縁から周方向に亘って外向きに突出する鍔状に形成され、第１窓孔１１１又は第３窓孔１１３の周縁に取り付けられる。
【００４３】
第２開口部７１３は、主部７１０の一端（図６（ｂ）における上端）に設けられる矩形状の開口である。すなわち、第２開口部７１３は、第１開口部７１１とは異なる位置に設けられる。第２取付部７１４は、第２開口部７１３の内周縁に周方向に亘って溝状に形成される。第２取付部７１４は、取付金具９の第１取付板９０の周縁を嵌め込むことができるように構成される。
【００４４】
主部７１０には、図６（ｄ）に示すように、長尺な１対のスリット７１５を設けている。各スリット７１５の長手方向の一端（図６（ｄ）における上側の端）は、第２カバー７１の外部に開放されている。また、各スリット７１５の長手方向の他端（図６（ｄ）における下側の端）には、それぞれ円形状の通線孔７１６を設けている。各スリット７１５及び各通線孔７１６は、制御用端子台４１と点灯装置３とを接続する内部配線（図示せず）を通すことができるように構成される。
【００４５】
以下、第１カバー７０を器具本体１に取り付ける方法について説明する。なお、第２カバー７１については、取付方法が同じであるので説明を省略する。先ず、図１（ｃ）に示す矢印の向きで第１カバー７０を電源用端子台４０及び取付金具９に被せ、第２取付部７０４に第１取付板９０の周縁を嵌め合わせる（図８参照）。これにより、第２開口部７０３が第１取付板９０によって閉塞される。その後、器具本体１の内側から第１取付部７０２を器具本体１の第２窓孔１１２に通し、第２窓孔１１２の周縁に密着させることで、第１カバー７０を器具本体１に取り付けることができる（図７参照）。
【００４６】
上述のように、本実施形態の照明器具では、各カバー７０，７１を器具本体１に取り付けることで、各端子台４０，４１を除いた器具本体１の内部と、器具本体１の外部とを隔離することができる。これにより、本実施形態の照明器具では、外部からの異物が器具本体１内部へ侵入するのを防止することができる。また、本実施形態の照明器具では、各端子台４０，４１の電線接続部４００，４１０が、各カバー７０，７１の第１開口部７０１，７１１及び各窓孔１１１〜１１３を介して器具本体１の外部に臨むようになっている。このため、各カバー７０，７１を取り外すことなく各端子台４０，４１への配線作業を容易に行うことができる。
【００４７】
ここで、器具本体１の内部への異物の侵入について、各発光モジュール２に異物が堆積することが特に問題となることから、各カバー７０，７１を設けずに、各発光モジュール２をカバー（図示せず）で覆う構成も考えられる。しかしながら、この構成では、カバーを取り付けることで各発光モジュール２の放熱性能が低下するため、放熱性を考慮した設計が困難であるという問題がある。したがって、本実施形態の照明器具のように、各カバー７０，７１を器具本体１に取り付ける構成を採用することが好ましい。
【００４８】
また、本実施形態の照明器具では、各カバー７０，７１は、器具本体１の各窓孔１１１〜１１３が設けられる一面（すなわち、第１側板１１）に対して傾斜するように構成される。このため、本実施形態の照明器具では、第１側板１１に対して斜め方向から引き回される電線を電線接続部４００，４１０に容易に接続することができる。なお、当該構成を採用するか否かは任意である。
【００４９】
また、本実施形態の照明器具では、各カバー７０，７１は、第１開口部７０１，７１１とは異なる位置に設けられる第２開口部７０３，７１３と、第２開口部７０３，７１３の周縁に設けられて取付金具９に取り付けられる第２取付部７０４，７１４とを備える。そして、第２開口部７０３，７１３は、取付金具９により閉塞されるように構成される。したがって、本実施形態の照明器具では、各端子台４０，４１を取付金具９に予め取り付けている状態でも、各カバー７０，７１を器具本体１に取り付けることができる。なお、当該構成を採用するか否かは任意である。
【００５０】
更に、本実施形態の照明器具では、各カバー７０，７１は、各端子台４０，４１と点灯装置３とを接続する電線を通すためのスリット７０５，７１５を備え、各スリット７０５，７１５は、その一端を各カバー７０，７１の外部に開放するように構成される。このため、本実施形態の照明器具では、各端子台４０，４１に予め内部配線を接続している状態でも、各カバー７０，７１を器具本体１に取り付けることができる。なお、当該構成を採用するか否かは任意である。
【符号の説明】
【００５１】
１  器具本体
１１１〜１１３  窓孔
２  発光モジュール
３  点灯装置
４  端子台
４０  電源用端子台
４００  電線接続部
５  透光パネル
７  カバー
７０  第１カバー
７０１  第１開口部
７０２  第１取付部
【図１】
2014216236.tif 000003
【図２】
2014216236.tif 000004
【図３】
2014216236.tif 000005
【図４】
2014216236.tif 000006
【図５】
2014216236.tif 000007
【図６】
2014216236.tif 000008
【図７】
2014216236.tif 000009
【図８】
2014216236.tif 000010
【図９】
2014216236.tif 000011